(57)【要約】【課題】フリッカの抑制と高い動画性能の両立を実現する表示装置及びその画素の駆動方法を提供する。【解決手段】発光素子と発光素子に階調表示データに応じた電流を供給する駆動トランジスタとを含む複数の画素と、データ線と、発光期間制御線と、を有し、１フレーム毎に各画素に、データ線から映像信号に応じた階調表示データが供給され、発光期間制御線から発光期間制御信号が供給され、発光期間制御信号に基づいて発光素子の発光を制御する表示装置であって、１フレームの発光期間は、発光素子が断続的に発光している期間であって、かつ、発光期間の輝度が漸減する期間であることを特徴とする表示装置。【選択図】図６
2012053447.tif 000002
【特許請求の範囲】
【請求項１】
発光素子と該発光素子に階調表示データに応じた電流を供給する駆動トランジスタとを含む複数の画素と、データ線と、発光期間制御線と、を有し、
１フレーム毎に前記各画素に、前記データ線から映像信号に応じた階調表示データが供給され、前記発光期間制御線から発光期間制御信号が供給され、
前記発光期間制御信号に基づいて前記発光素子の発光を制御する表示装置であって、
１フレームの発光期間は、前記発光素子が断続的に発光している期間であって、かつ、前記発光期間の輝度が漸減する期間であることを特徴とする表示装置。
【請求項２】
電源線を更に有し、前記駆動トランジスタのソース電極・ドレイン電極のうちの一方が前記電源線と直列接続され、他方が前記発光素子と直列接続されており、
前記電源線の電圧を変えることにより１フレームの前記発光期間の輝度が漸減されることを特徴とする請求項１に記載の表示装置。
【請求項３】
前記駆動トランジスタのソース電極又はドレイン電極が前記発光素子と直列接続されており、
前記駆動トランジスタのゲート電圧を変えることにより１フレームの前記発光期間の輝度が漸減されることを特徴とする請求項１に記載の表示装置。
【請求項４】
発光素子と該発光素子に階調表示データに応じた電流を供給する駆動トランジスタとを含む複数の画素と、データ線と、発光期間制御線と、を有する表示装置の画素の駆動方法であって、
１フレーム毎に前記各画素に、前記データ線から映像信号に応じた階調表示データを供給し、前記発光期間制御線から発光期間制御信号を供給して前記発光期間制御信号に基づいて前記発光素子の発光を制御し、
１フレームの発光期間において、前記画素の前記発光素子を断続的に発光させ、かつ、前記発光期間の輝度を漸減させることを特徴とする表示装置の画素の駆動方法。
【請求項５】
前記表示装置は電源線を更に有し、前記駆動トランジスタのソース電極・ドレイン電極のうちの一方が前記電源線と直列接続され、他方が前記発光素子と直列接続されており、
前記電源線の電圧を変えることにより、１フレームの前記発光期間の輝度を漸減させることを特徴とする請求項４に記載の表示装置の画素の駆動方法。
【請求項６】
前記表示装置は、前記駆動トランジスタのソース電極又はドレイン電極が前記発光素子と直列接続されており、
前記駆動トランジスタのゲート電圧を変えることにより、１フレームの前記発光期間の輝度を漸減させることを特徴とする請求項４に記載の表示装置の画素の駆動方法。
【発明の詳細な説明】
【技術分野】
【０００１】
本発明は、高画質な表示が可能な画像表示装置及びその画素の駆動方法に関する。
【背景技術】
【０００２】
動画像を表示する画像表示装置では、ある画像信号を画像表示装置に表示する期間（以下、「フレーム期間」という。）が次のフレーム期間に切り替わるときに、動画像のボケが発生することがある。この動画像のボケは、フレーム期間が次のフレーム期間に切り替わる前に、黒の画像信号の期間を挿入することにより抑制できる。しかし、黒の画像信号の期間を長くしていくとフリッカが現れてしまう。
【０００３】
特許文献１では、１フレーム期間の発光を複数のサブフレームに分割し、各サブフレームでデューティ比に応じた発光時間だけ各発光素子を発光させフリッカを抑制している。
【先行技術文献】
【特許文献】
【０００４】
【特許文献１】特開２００６−３０５１６号公報
【発明の概要】
【発明が解決しようとする課題】
【０００５】
特許文献１では、１フレーム期間で挿入する黒の画像信号の期間が１フレーム期間の発光を分割しない場合と比べて短くなるため、動画性能が悪くなるという課題がある。
【０００６】
そこで、本発明は、フリッカの抑制と高い動画性能の両立を実現する表示装置及びその画素の駆動方法を提供することを目的とする。
【課題を解決するための手段】
【０００７】
上記課題を解決するために、本発明は、発光素子と該発光素子に階調表示データに応じた電流を供給する駆動トランジスタとを含む複数の画素と、データ線と、発光期間制御線と、を有し、
１フレーム毎に前記各画素に、前記データ線から映像信号に応じた階調表示データが供給され、前記発光期間制御線から発光期間制御信号が供給され、
前記発光期間制御信号に基づいて前記発光素子の発光を制御する表示装置であって、
１フレームの発光期間は、前記発光素子が断続的に発光している期間であって、かつ、前記発光期間の輝度が漸減する期間であることを特徴とする表示装置を提供するものである。
【０００８】
また、本発明は、発光素子と該発光素子に階調表示データに応じた電流を供給する駆動トランジスタとを含む複数の画素と、データ線と、発光期間制御線と、を有する表示装置の画素の駆動方法であって、
１フレーム毎に前記各画素に、前記データ線から映像信号に応じた階調表示データを供給し、前記発光期間制御線から発光期間制御信号を供給して前記発光期間制御信号に基づいて前記発光素子の発光を制御し、
１フレームの発光期間において、前記画素の前記発光素子を断続的に発光させ、かつ、前記発光期間の輝度を漸減させることを特徴とする表示装置の画素の駆動方法を提供するものである。
【発明の効果】
【０００９】
本発明によれば、１フレームを、断続的に発光している発光期間の輝度を漸減することにより、フリッカの抑制と高い動画性能の両立を実現できる。
【図面の簡単な説明】
【００１０】
【図１】本発明の表示装置の一例を示す図である。
【図２】本発明の表示装置に用いられる面順次画素回路及びその駆動方法を示す図である。
【図３】本発明の表示装置に用いられる線順次画素回路及び線順次走査表示のｉ行目とｉ＋１行目の駆動と発光状態を示す図である。
【図４】面順次走査表示における各行の発光の仕方、及び線順次走査表示における各行の発光の仕方を示す図である。
【図５】特許文献１の１フレームの発光を説明する図である。
【図６】本発明の表示装置における発光期間を説明する図である。
【図７】有機ＥＬ素子とＴＦＴの各々の電流−電圧特性を示す図である。
【図８】線順次駆動回路で輝度を漸減させる信号を出力する回路を示す図である。
【発明を実施するための形態】
【００１１】
本発明の表示装置は、動画像を表示する画像表示装置である。１フレームを、断続的に発光している発光期間の輝度を漸減することにより、フリッカの抑制と高い動画性能の両立を実現する。図１は本発明の表示装置の一例であり、表示装置の全体構成を示している。
【００１２】
図１の表示装置は、画素１をｍ行×ｎ列（ｍ、ｎは自然数）の２次元状に配列した画像表示部（以下、「表示領域」ということもある。）を備えている。画素１は、ＲＧＢ原色数の発光素子と、発光素子に階調表示データに応じた電流を供給する駆動トランジスタと、データ線と、発光期間制御線とを含んでおり、発光素子、駆動トランジスタ、データ線、制御線等が画素回路２（図２（ａ）等参照）を構成している。
【００１３】
制御線５、６のうちの少なくとも一方は１フレーム毎に各画素１に発光期間制御信号を供給する発光期間制御線であり、発光期間制御信号に基づいて発光素子の発光が制御される。制御線５、６の一端にはゲート駆動回路３が接続されている。ゲート駆動回路３には例えば不図示の表示パネルコントローラから制御信号が入力され、ゲート駆動回路３の各出力端子から画素回路２の動作を制御する複数の制御信号Ｐ１（１）〜Ｐ１（ｍ）、Ｐ２（１）〜Ｐ２（ｍ）が出力される。ゲート駆動回路３の各出力端子から出力された制御信号の１つであるＰ１は、制御線５を介して各行の画素回路２に入力され、他の制御信号であるＰ２は制御線６を介して各行の画素回路２に入力される。なお、ゲート駆動回路３の各出力端子から出力される制御信号は、図１では２つとしたが、２つでなくても良く、画素回路の構成次第では制御線が１本であったり、逆に、もっと多かったりしても良い。
【００１４】
データ線７は１フレーム毎に各画素１に映像信号に応じた階調表示データを供給する。データ線７の一端には信号駆動回路４が接続されている。信号駆動回路４には例えば不図示の表示パネルコントローラから映像信号が入力され、信号駆動回路４の各出力端子から映像信号に応じた階調表示データであるデータ電圧Ｖｄａｔａが出力される。信号駆動回路４から出力されたデータ電圧Ｖｄａｔａは、データ線７を介して各列の画素回路２に入力される。なお、図１では信号駆動回路４が表示領域近傍に描かれているが、電気的に接続されていればＣＯＧ等の別基板上にあっても良い。
【００１５】
図２（ａ）は、本発明の表示装置に好適に用いられる自発光型の発光素子を含む画素回路（面順次走査表示方式の画素回路）の一例である。画素回路２に用いられるトランジスタとしてはＴＦＴが好適である。５は制御線（リセット線）、６は制御線（発光期間制御線）、７はデータ線、８は電源線、９は有機ＥＬ素子（ＯＬＥＤ素子）、１０は記憶容量、１１はリセットＴＦＴ、１２は駆動ＴＦＴ、１３は点灯ＴＦＴである。記憶容量１０の一端はデータ線７に接続され、他端は駆動ＴＦＴ１２のゲート電極に接続されている。リセットＴＦＴ１１のゲート電極は制御線５に接続され、ソース電極・ドレイン電極は駆動ＴＦＴ１２のゲート電極・ドレイン電極とそれぞれ接続されている。駆動ＴＦＴ１２のソース電極・ドレイン電極のうちの一方は電源線８と直列接続され、他方は有機ＥＬ素子９と直列接続されている。正確には、駆動ＴＦＴ１２のソース電極が電源線８と直列接続され、ドレイン電極が点灯ＴＦＴ１３のドレイン電極・ソース電極を介して有機ＥＬ素子９と直列接続されている。点灯ＴＦＴ１３のゲート電極は制御線６と接続されている。リセットＴＦＴ１１、点灯ＴＦＴ１３はＮチャネルＴＦＴであり、ゲートに入る信号がＨの場合ＯＮする。駆動ＴＦＴ１２はＰチャネルＴＦＴであり、ゲートに入る信号がＬの場合ＯＮする。リセットＴＦＴ１１、点灯ＴＦＴ１３はＰチャネルＴＦＴでも良く、駆動ＴＦＴ１２はＮチャネルＴＦＴでも良い。画素回路２では発光素子として有機ＥＬ素子を用いているが、有機ＥＬ素子に限定されるわけではなく、自発光型の発光素子であれば良い。
【００１６】
図２（ｂ）は、図２（ａ）の画素回路の駆動方法を示すタイミングチャートであり、面順次走査表示の場合の駆動方法である。
【００１７】
図２（ｂ）において、プリチャージ期間（Ａ）、書込み期間（Ｂ）で画素回路内の駆動ＴＦＴ１２の閾値がキャンセルされる（データ電圧Ｖ（ｉ−１）の履歴が消される）と同時に、データ電圧Ｖ（ｉ）が画素に書き込まれる。（Ａ）の期間において、プリチャージ動作時に画像データに関らず、Ｐ２がＨのため、点灯ＴＦＴ１３が閉じて有機ＥＬ素子９に電流が流れ、一瞬発光するが、階調表示には影響を与えない発光である。そして、他行書込み期間（Ｃ）において、該当行以降の行の画素に同様に、駆動ＴＦＴ１２の閾値がキャンセルされると同時にデータ電圧が書き込まれる。その後、発光期間（Ｄ）において、データ線７に発光時の参照電圧（データ線７の電圧）が印加され、全ての行で同時に、駆動ＴＦＴ１２の電流駆動能力に応じた電流が有機ＥＬ素子９に供給され、発光する。
【００１８】
１フレーム期間内では、（Ｄ）の発光期間において、駆動ＴＦＴ１２の電流駆動能力に応じてプログラムされた階調表示データに対応する電流が有機ＥＬ素子９に供給されることになる。本発明では、図２（ｂ）の発光パターンのように、１フレーム期間内では有機ＥＬ素子９は断続的に発光し、かつその輝度は漸減していく。有機ＥＬ素子９を断続的に発光させ、かつその輝度を漸減させる方法の詳細については後述する。
【００１９】
図３（ａ）は、本発明の表示装置に好適に用いられる自発光型の発光素子を含む画素回路（線順次走査表示方式の画素回路）の一例である。図３（ａ）において、７はデータ線、８は電源線、５（Ｐ１）と６(Ｐ２)は制御線、１６は選択ＴＦＴ、１７はリセットＴＦＴ、１８はリセット線、１９(Ｐ３)は参照電圧線である。また、９はＯＬＥＤ素子、１０は記憶容量、１１はリセットＴＦＴ、１２は駆動ＴＦＴ、１３は点灯ＴＦＴである。
【００２０】
記憶容量１０の一端はデータ線７に選択ＴＦＴ１６を介して接続され、参照電圧線１９にリセットＴＦＴ１７を介して接続され、他端は駆動ＴＦＴ１２のゲート電極に接続されている。リセットＴＦＴ１１のゲート電極は制御線５に接続され、ソース電極・ドレイン電極は駆動ＴＦＴ１２のゲート電極・ドレイン電極とそれぞれ接続されている。駆動ＴＦＴ１２のソース電極・ドレイン電極のうちの一方は電源線８と直列接続され、他方は有機ＥＬ素子９と直列接続されている。正確には、駆動ＴＦＴ１２のソース電極が電源線８と直列接続され、ドレイン電極が点灯ＴＦＴ１３のドレイン電極・ソース電極を介して有機ＥＬ素子９と直列接続されている。点灯ＴＦＴ１３のゲート電極は制御線６と接続されている。選択ＴＦＴ１６のゲート電極及びリセットＴＦＴ１７のゲート電極は共にリセット線１８に接続されている。リセットＴＦＴ１１、点灯ＴＦＴ１３、選択ＴＦＴ１６はＮチャネルＴＦＴであり、ゲートに入る信号がＨの場合ＯＮする。駆動ＴＦＴ１２、リセットＴＦＴ１７はＰチャネルＴＦＴであり、ゲートに入る信号がＬの場合ＯＮする。リセットＴＦＴ１１、点灯ＴＦＴ１３、選択ＴＦＴ１６はＰチャネルＴＦＴでも良く、駆動ＴＦＴ１２、リセットＴＦＴ１７はＮチャネルＴＦＴでも良い。図３（ａ）の画素回路２では発光素子として有機ＥＬ素子を用いているが、有機ＥＬ素子に限定されるわけではなく、自発光型の発光素子であれば良い。
【００２１】
図３（ｂ）は図３（ａ）の画素回路において、２５５階調の白を表示した場合のｉ行目の駆動と発光の状態を示すタイミングチャートである。プリチャージ期間（Ａ）、書込み期間（Ｂ）で画素回路内の駆動ＴＦＴ１２の閾値がキャンセルされる（データ電圧Ｖ（ｉ−１）の履歴が消される）と同時に、データ電圧Ｖ（ｉ）が画素に書き込まれる。（Ａ）の期間において、プリチャージ動作時に画像データに関らず、Ｐ２がＨのため、点灯ＴＦＴ１３が閉じて有機ＥＬ素子９に電流が流れ、一瞬発光するが、階調表示には影響を与えない発光である。そして、他行書込み期間（Ｃ）において、該当行以降の行の画素に同様に、駆動ＴＦＴ１２の閾値がキャンセルされると同時にデータ電圧が書き込まれる。その後、参照電圧線１９に発光時の参照電圧（参照電圧線１９の電圧）が印加され、駆動ＴＦＴ１２の電流駆動能力に応じた電流が有機ＥＬ素子９に供給される。
【００２２】
１フレーム期間内では、（Ｃ）の期間において、駆動ＴＦＴ１２の電流駆動能力に応じてプログラムされた階調表示データに対応する電流が有機ＥＬ素子９に供給されることになる。本発明では、図３（ｂ）の発光パターンのように、１フレーム期間内では、ｉ行目の有機ＥＬ素子９は断続的に発光し、かつその輝度は漸減していく。ｉ行目の有機ＥＬ素子９を断続的に発光させ、かつその輝度を漸減させる方法の詳細については後述する。図３（ｃ）はｉ行目の次のｉ＋１行目の駆動と発光の状態を示すタイミングチャートである。なお、図３（ｂ）、（ｃ）の他行書込み期間（Ｃ）は、図２（ｂ）の他行書込み期間（Ｃ）と発光期間（Ｄ）の両方に対応する。
【００２３】
図４（ａ）は図２（ａ）の画素回路において面順次走査で駆動した場合の各行の発光の仕方を示す図、図４（ｂ）は図３(ａ)の画素回路において線順次走査で駆動した場合の各行の発光の仕方を示す図である。図４（ａ）、（ｂ）にはパネル表示領域の一行目の発光パターンからパネル表示領域の最終行の発光パターンまでを示している。図４（ａ）の発光期間は図２（ｂ）の発光期間（Ｄ）に対応している。図４（ｂ）のｉ行目の発光は図３（ｂ）の発光パターンの他行書込み期間（Ｃ）に対応し、図４（ｂ）のｉ＋１行目の発光は図３（ｃ）の発光パターンの他行書込み期間（Ｃ）に対応している。つまり、面順次走査表示では全ての行が同時に発光するが、線順次走査表示では発光の開始時間が一行目から最終行まで順次シフトする。なお、図４（ａ）、（ｂ）には１フレーム分の発光のみを示している。
【００２４】
（第１の実施形態）
本実施形態の表示装置は図１の表示装置であり、各画素に配置される画素回路は図２（ａ）の画素回路である。図２を用いて本実施形態を説明する。まず、フレーム内の発光について説明する。特許文献１では、図５のように１フレーム期間（図２（ｂ）の（Ａ）〜（Ｄ）の期間）にわたって発光を分散させる。これに対して本発明では、図６のように１フレームの発光期間で、断続的に発光素子が発光し、かつその輝度が漸減している。なお、図６は図２（ｂ）の発光期間（Ｄ）又は図３（ｂ）、（ｃ）の他行書込み期間（Ｃ）のみを図示したものである。
【００２５】
続いて、表示方法を説明する。図２（ａ）の面順次走査表示方式の画素回路では、映像信号に応じた階調表示データをデータ線７から入力し、表示を行う際に参照電圧もデータ線７から入力する。そして、Ｐ２のＨ／Ｌを制御することにより、点灯ＴＦＴ１３をＯＮ、ＯＦＦし、有機ＥＬ素子の発光期間（Ｄ）を制御することができる。従って、図２（ｂ）のような断続的な発光が点灯ＴＦＴ１３のＯＮ、ＯＦＦを制御することで実現できる。
【００２６】
本実施形態では、１フレームにおいて、断続的に発光している発光期間の輝度を漸減する構成を採っている。具体的には、以下のとおりである。電源電圧（電源線８、Ｖｃｃの電圧）をＶＯＬＥＤ（書き込み時の電源電圧）からΔＶ分下げる。こうすることにより、駆動ＴＦＴ１２のゲート電圧とソース電圧の電位差Ｖｇｓ0がＶｇｓ0−ΔＶになる。この場合、駆動ＴＦＴ１２と有機ＥＬ素子の動作点の電流値が飽和領域であれば、図７のように電流値の制御範囲が線形領域の場合に比べて大きいので、輝度を広範囲で制御することができる。図７の１４は有機ＥＬ素子の電流−電圧特性、１５はＴＦＴの電流−電圧特性である。従って、電源電圧（電源線８の電圧）を変えることにより、図６に示すように、１フレームにおいて発光期間の輝度を漸減することができる。
【００２７】
以上、本実施形態ではフリッカを抑えつつ、動画性能を確保することができる。更に、電源電圧を変化させ、発光期間から非発光期間に輝度を漸減させて切り替えることで、１フレームが発光と非発光の期間のみで構成されていることによりにより生じるフリッカの影響が小さく、かつ動画性能がより向上する。図６のＥの期間は、略黒（白輝度（最大輝度）の１０分の１以下の輝度）である。また、図６では、１フレーム内で輝度を漸減させているが、発光期間のみ輝度が漸減し、このＥの期間を実際には非発光としても良い。
【００２８】
また、本実施形態では線形領域を動作点とする場合と異なり、飽和領域でＴＦＴを動作させている。従って、有機ＥＬ素子の特性が経時劣化し、動作点が変わることによる焼きつきの課題の影響が小さい。
【００２９】
（第２の実施形態）
本実施形態の表示装置及び各画素に配置される画素回路は第１の実施形態と同じである。本実施形態では、第１の実施形態と同様に、１フレームにおいて、断続的に発光している発光期間の輝度を漸減する構成を採っている。具体的には、以下のとおりである。ある参照電圧（データ線７の電圧）をΔＶ分小さくする。こうすることにより、駆動ＴＦＴ１２のゲート電圧とソース電圧の電位差Ｖｇｓ0がＶｇｓ0−ΔＶになる。この場合、駆動ＴＦＴ１２と有機ＥＬ素子の動作点の電流値が飽和領域であれば、図７のようにゲート電圧がＶｇｓ0−ΔＶとなる電流が流れ、電流を制御することができる。従って、参照電圧を変える（ゲート電圧を変える）ことにより、図６に示すように、１フレームにおいて発光期間の輝度を漸減することができる。
【００３０】
以上、本実施形態では第１の実施形態と同様に、フリッカを抑えつつ、動画性能を確保することができる。更に、参照電圧を変化させ、発光期間から非発光期間に輝度を漸減させて切り替えることで、発光から非発光に瞬時に切り替わることにより生じるフリッカの影響が小さく、かつ動画性能がより向上する。図６のＥの期間は、略黒（白輝度（最大輝度）の１０分の１以下の輝度）である。また、図６では、１フレーム内で輝度を漸減させているが、発光期間のみ輝度が漸減し、このＥの期間を実際に非発光としても良い。
【００３１】
また、本実施形態では第１の実施形態と同様に、発光素子の特性が経時劣化し、動作点が変わることによる焼きつきの課題の影響が小さい。
【００３２】
（第３の実施形態）
本実施形態の表示装置は図１の表示装置であり、各画素に配置される画素回路は図３（ａ）の画素回路である。図３を用いて本実施形態を説明する。
【００３３】
図３（ａ）の線順次走査表示方式の画素回路では、映像信号に応じた階調表示データをデータ線７から入力し、表示を行う際に参照電圧は参照電圧線１９から入力する。そして、点灯ＴＦＴ１３のＨ／Ｌを制御することにより、点灯ＴＦＴ１３をＯＮ、ＯＦＦし、有機ＥＬ素子の発光期間を制御することができる。従って、図３（ｂ）、（ｃ）のような断続的な発光が点灯ＴＦＴ１３のＯＮ、ＯＦＦを制御することで実現できる。
【００３４】
本実施形態では、１フレームにおいて、断続的に発光している発光期間の輝度を漸減する構成を採っている。輝度を漸減する発光を各行で順次行う方法を、図６を用いて説明する。なお、本実施形態は、線順次駆動回路で輝度を漸減させる信号を出力する回路として図８の回路を用いた例である。
【００３５】
まず、一行ごとに図８に示すライン選択ＴＦＴ２０を介して信号を順次シフトすることが可能な外部回路から一行ごとにＨの信号を入力する。入力された信号は波形１のような減衰した波形となる。この信号がインバータ回路２１で反転され、参照電圧線１９（図８中でＰ３と示す。）に波形２の信号として出力される。参照電圧がＨの場合０階調、参照電圧がＬの場合２５５階調の発光表示となる。
【００３６】
以上、１フレームが発光と非発光の期間のみで構成されることにより生じるフリッカの影響が小さく、かつ動画性能がより向上する。更に、自発光の線順次駆動パネルでは、走査方向に人間の目がついて動いた場合にパネルの中央部が明るく見えたり、パネルの上下端部が帯状に明るく見えたりしたものが順々に目に入るために揺らぎを感じる。これは、跳躍眼球運動というものあり、１フレームが発光期間と非発光期間のみで構成されるために生じるものであるから、輝度を漸減させながら発光表示することで抑制することができる。図６のＥの期間は、略黒（白輝度（最大輝度）の１０分の１以下の輝度）である。また、図６では、１フレーム内で輝度を漸減させているが、発光期間のみ輝度が漸減し、このＥの期間を実際には非発光としても良い。
【符号の説明】
【００３７】
１：画素、２：画素回路、５：制御線、６：制御線、７：データ線、８：電源線、９：有機ＥＬ素子（ＯＬＥＤ素子）、１０：記憶容量、１１：リセットＴＦＴ、１２：駆動ＴＦＴ、１３：点灯ＴＦＴ、１４：有機ＥＬ素子の電流−電圧特性、１５：ＴＦＴの電流−電圧特性、１６：選択ＴＦＴ、１７：リセットＴＦＴ、１８：リセット線、１９：参照電圧線、２０：ライン選択ＴＦＴ、２１：インバータ回路
【図１】
2012053447.tif 000003
【図２】
2012053447.tif 000004
【図３】
2012053447.tif 000005
【図４】
2012053447.tif 000006
【図５】
2012053447.tif 000007
【図６】
2012053447.tif 000008
【図７】
2012053447.tif 000009
【図８】
2012053447.tif 000010